(57)【要約】【課題】  遊技者所有の電子端末における表現動作により遊技意欲を高揚させて遊技ホールへの来店頻度の向上や遊技の長時間化を図ることが可能な遊技システム及び遊技機用の電子端末を提供する。【解決手段】  パチンコ機１が、遊技の実行に伴って信号出力端子５８ｃより作動チャッカー入賞信号、大当り信号を送信すると、パチンコ機１に装着された電子ペット１０１が、送信された信号を信号入力端子１０７ａにより受信し、これに基づいて育成データを不揮発性メモリ１１４に書き込む。そして、ＣＰＵ１１１に内蔵されたタイマによって計測された時間経過に応じて、不揮発性メモリ１１４に記憶された育成データに対してポイントを減ずる処理を施し、その育成データに基づいて目型ディスプレイ１０３，１０３、赤色ＬＥＤ１０４ａ〜１０４ｈ等による表現動作を実行制御する。【選択図】        図８
2007054103.tif 000002
【特許請求の範囲】
【請求項１】
遊技機と、遊技者により所有されて前記遊技機に装着又は近傍に設置される電子端末とからなる遊技システムであって、
前記遊技機は、遊技の実行に伴って所定の信号を送信する送信手段を備え、
前記電子端末は、
データを書き換え可能に記憶する記憶手段と、
前記送信手段から送信される前記所定の信号を受信する受信手段と、
その受信手段により前記所定の信号を受信することに基づいて、価値や状況等を表わす所定のデータを前記記憶手段に書き込むデータ書き込み手段と、
時間の経過を計測する計時手段と、
感情等を表現する表現動作を実行可能な表現動作手段と、
前記計時手段によって計測された時間経過に応じて、前記記憶手段に記憶された前記所定のデータに対して価値や状況等を低下させる処理を施す時間経過処理手段と、
前記記憶手段に記憶された前記所定のデータに基づいて前記表現動作手段による表現動作を実行制御する制御手段と
を備えたことを特徴とする遊技システム。
【請求項２】
前記所定のデータは、育成対象の育成状況を表わす育成データであり、
前記データ書き込み手段は、前記受信手段により前記所定の信号を受信することに基づいて前記育成データを前記記憶手段に書き込み、
前記時間経過処理手段は、前記計時手段によって計測された時間経過に応じて、前記記憶手段に記憶された前記育成データに対して前記育成対象の育成状況を低下させる処理を施し、
前記動作制御手段は、前記記憶手段に記憶された前記育成データに基づいて前記表現動作手段による表現動作を実行制御することを特徴とする請求項１に記載の遊技システム。
【請求項３】
前記電子端末は、表示部と、操作部とを備え、前記表示部にゲーム画面を表示すると共に前記操作部の操作に応じて前記育成対象を育成する育成ゲームを実行可能に構成された育成ゲーム機であることを特徴とする請求項２に記載の遊技システム。
【請求項４】
前記所定のデータは、価値の大きさを表わす価値データであり、
前記データ書き込み手段は、前記受信手段により前記所定の信号を受信することに基づいて前記価値データを前記記憶手段に書き込み、
前記時間経過処理手段は、前記計時手段によって計測された時間経過に応じて前記記憶手段に記憶された前記価値データを減ずる処理を施し、
前記動作制御手段は、前記記憶手段に記憶された前記価値データに基づいて前記表現動作手段による表現動作を実行制御することを特徴とする請求項１に記載の遊技システム。
【請求項５】
前記表現動作手段は、前記電子端末が前記遊技機から離隔されて前記受信手段による前記所定の信号の受信が不能な状態で、表現動作を実行可能であることを特徴とする請求項１乃至５のいずれかに記載の遊技システム。
【請求項６】
遊技者により所有されされ且つ遊技の実行に伴って所定の信号を送信する送信手段を備えた遊技機に装着又は近傍に設置される遊技機用の電子端末であって、
データを書き換え可能に記憶する記憶手段と、
前記送信手段から送信される前記所定の信号を受信する受信手段と、
その受信手段により前記所定の信号を受信することに基づいて、価値や状況等を表わす所定のデータを前記記憶手段に書き込むデータ書き込み手段と、
時間の経過を計測する計時手段と、
感情等を表現する表現動作を実行可能な表現動作手段と、
前記計時手段によって計測された時間経過に応じて、前記記憶手段に記憶された前記所定のデータに対して価値や状況等を低下させる処理を施す時間経過処理手段と、
前記記憶手段に記憶された前記所定のデータに基づいて前記表現動作手段による表現動作を実行制御する動作制御手段と
を備えたことを特徴とする電子端末。
【発明の詳細な説明】
【技術分野】
【０００１】
本発明は、パチンコ遊技機やスロットマシン等の遊技機と電子端末とを用いた遊技システム及び遊技機用の電子端末に関する。
【背景技術】
【０００２】
従来より、パチンコ遊技機やスロットマシン等の遊技機において、抽選結果としての当り発生後等に、液晶表示画面に遊技画像を表示させることで、利用者の達成感を向上させようとする試みがなされている。しかし、当たり発生後に液晶表示画面に表示される遊技画像は、遊技機の利用者全員に同じであったり、毎回同じものである場合があり、遊技機への興味を失う可能性がある。一方、当たり発生後、液晶表示画面に表示される遊技画像がランダムに表示される場合でも、表示される遊技画像のパターンは有限であり、利用者に達成感を与えられない場合もある。このような問題に鑑みて、特許文献１には、ゲーム進行状況に基づいて抽選を行い、この抽選の結果に応じて所定の処理を擬似生物等の育成対象に対して行う育成型遊技装置が提案されている。この遊技機は、育成ゲームの結果を磁気カード等に保存し、前回の育成ゲームの結果を、次回の育成ゲームに反映させることにより、育成ゲームに継続性が付与されるものである。
【０００３】
また、特許文献２には、携帯端末でゲームを実行することによりキャラクタを育成すると共に、そのキャラクタを携帯端末からサーバを介して遊技機に投入し、育成状況に応じて突然変異を発生させた後、サーバを介して携帯端末にキャラクタを返信するようにした遊技システムが提案されている。
【０００４】
また、特許文献３には、遊技機で実行されるゲームにおいてキャラクタが育成され、そのキャラクタの情報をＩＣカードに記録したり、ＩＣカードからキャラクタの情報を読み出して遊技機で行われるゲームに参加させたりすることができる遊技システムが提案されている。
【特許文献１】特開２００４−３２１７０４号公報
【特許文献２】特開２００３−２４５４０７号公報
【特許文献３】特開２００１−８７４６１号公報
【発明の開示】
【発明が解決しようとする課題】
【０００５】
しかしながら、上述した特許文献１乃至３に記載された従来技術においては、遊技機側にキャラクタの育成機能や外部からの入力機能を設ける必要があり、遊技機の構成が従来よりも複雑にならざるを得ないという問題や、ゲーム内容が当該キャラクタに関するものに限定されるため、複数機種で汎用的に採用することが困難であるという問題がある。さらに、これらの従来技術は、ペット型ロボットのように状況に応じて感情表現等の動作をすることができる物とは異なり、遊技者に対して愛着や親しみを感じさせるという側面は少ないと考えられる。また、これらは、遊技者が遊技ホール以外の場所（例えば、自宅）にいる時に遊技ホールへ来店することを積極的に促すような作用効果を発揮するものではなかった。
【０００６】
例えば、特許文献１に記載された従来技術は、パチンコ遊技機の遊技盤に設けられた液晶画面上に育成ゲームが表示されものであり、遊技者所有の磁気カードは育成ゲームの結果を保存する記憶媒体に過ぎないものである。
【０００７】
また、特許文献２に記載された従来技術は、遊技機における遊技の開始前と終了後に、携帯端末とサーバとの間でキャラクタの送受信を行わなければならず、操作が煩わしいのに加えて、キャラクタの育成は遊技機における遊技とは無関係に携帯端末上で行われるため、遊技機における遊技実行の継続に対する意欲向上への寄与は少ないと考えられる。
【０００８】
また、特許文献３に記載された従来技術は、遊技機において育成ゲームが表示され、ＩＣカードは育成ゲームの結果を保存する記憶媒体に過ぎないものである。
【０００９】
解決しようとする課題は、遊技者所有の電子端末における表現動作により遊技意欲を高揚させて遊技ホールへの来店頻度の向上や遊技の長時間化を図ることが可能な遊技システム及び遊技機用の電子端末を提供することである。
【課題を解決するための手段】
【００１０】
以下、上記課題を解決するのに適した各手段につき、必要に応じて作用効果等を付記しつつ説明する。
【００１１】
１．遊技機と、遊技者により所有されて前記遊技機に装着又は近傍に設置される電子端末とからなる遊技システムであって、
前記遊技機は、遊技の実行に伴って所定の信号を送信する送信手段を備え、
前記電子端末は、
データを書き換え可能に記憶する記憶手段と、
前記送信手段から送信される前記所定の信号を受信する受信手段と、
その受信手段により前記所定の信号を受信することに基づいて、価値や状況等を表わす所定のデータを前記記憶手段に書き込むデータ書き込み手段と、
時間の経過を計測する計時手段と、
感情等を表現する表現動作を実行可能な表現動作手段と、
前記計時手段によって計測された時間経過に応じて、前記記憶手段に記憶された前記所定のデータに対して価値や状況等を低下させる処理を施す時間経過処理手段と、
前記記憶手段に記憶された前記所定のデータに基づいて前記表現動作手段による表現動作を実行制御する制御手段と
を備えたことを特徴とする遊技システム。
手段１によれば、遊技機が、遊技の実行に伴って送信手段により所定の信号を送信すると、遊技者により所有されて遊技機に装着又は近傍に設置された電子端末が、受信手段により送信手段から送信される所定の信号を受信し、データ書き込み手段は所定の信号の受信に基づいて価値や状況等を表わす所定のデータを記憶手段に書き込む。そして、計時手段によって計測された時間経過に応じて、時間経過処理手段が記憶手段に記憶された所定のデータに対して価値や状況等を低下させる処理を施し、制御手段が記憶手段に記憶された所定のデータに基づいて表現動作手段による表現動作を実行制御する。よって、遊技機上で遊技が実行されるのに伴って遊技者が所有する電子端末において価値や状況等を表わす所定のデータが記憶されるという遊技機における遊技とは別の楽しみを遊技者に与えることができる。また、電子端末の記憶手段に記憶された所定のデータに対応する価値や状況等が時間経過によって低下し、このことが表現動作手段による表現動作を通して遊技者により認識されるので、所定のデータによって表わされる価値等の低下の防止や低下分の回復を望む遊技者の遊技機に対する遊技意欲の高揚が図られ、これにより遊技ホールへの来店頻度の向上や遊技の長時間化を図ることができる。さらに、電子端末があたかも遊技者のパートナーとして感情等を表現する動作を行うことにより、遊技者の興味を惹きつけて、遊技の興趣を向上させることができる。尚、本明細書において、表現動作とは、人間が視覚、聴覚、触覚等を通じて認識することが可能な電子端末の動作を意味する。
【００１２】
２．前記所定のデータは、育成対象の育成状況を表わす育成データであり、
前記データ書き込み手段は、前記受信手段により前記所定の信号を受信することに基づいて前記育成データを前記記憶手段に書き込み、
前記時間経過処理手段は、前記計時手段によって計測された時間経過に応じて、前記記憶手段に記憶された前記育成データに対して前記育成対象の育成状況を低下させる処理を施し、
前記動作制御手段は、前記記憶手段に記憶された前記育成データに基づいて前記表現動作手段による表現動作を実行制御することを特徴とする手段１に記載の遊技システム。
手段２によれば、遊技機が、遊技の実行に伴って送信手段により所定の信号を送信すると、遊技者により所有されて遊技機に装着又は近傍に設置された電子端末が、受信手段により送信手段から送信される所定の信号を受信し、データ書き込み手段は所定の信号の受信に基づいて育成対象の育成状況を表わす育成データを記憶手段に書き込む。そして、計時手段によって計測された時間経過に応じて、時間経過処理手段が記憶手段に記憶された育成データに対して育成対象の育成状況を低下させる処理を施し、制御手段が記憶手段に記憶された育成データに基づいて表現動作手段による表現動作を実行制御する。よって、遊技機上で遊技が実行されるのに伴って遊技者が所有する電子端末において育成対象の育成状況を表わす育成データが記憶されるという遊技機における遊技とは別の楽しみを遊技者に与えることができる。また、電子端末の記憶手段に記憶された育成データによって表わされる育成状況が時間経過によって低下し、このことが表現動作手段による表現動作を通して遊技者により認識されるので、育成データによって表わされる育成状況の低下の防止や低下分の回復を望む遊技者の遊技機に対する遊技意欲の高揚が図られ、これにより遊技ホールへの来店頻度の向上や遊技の長時間化を図ることができる。
【００１３】
３．前記育成対象は、生物をモデル化した擬似生物であることを特徴とする手段２に記載の遊技システム。
手段３によれば、電子端末が、生物をモデル化した擬似生物を育成対象としているので、遊技者は、親しみやすく且つ愛着を感じやすい擬似生物の育成を楽しむことができる。例えば、リスやネズミ等の小動物や、犬、猫等のペットをモデル化した擬似生物を育成対象としてもよい。
【００１４】
４．前記電子端末は、擬似生物の外観を呈するペット型ロボットであることを特徴とする手段３に記載の遊技システム。
手段４によれば、電子端末が育成対象である擬似生物の外観を呈するペット型ロボットであるので、親しみやすいペット型ロボットが表現動作を行うことにより、遊技者における愛着を増大させることができ、より一層効果的に興趣の向上が図られる。
【００１５】
５．前記育成対象は、非生物をモデル化したものであることを特徴とする手段２に記載の遊技システム。
手段５によれば、遊技者は、電子端末において非生物をモデル化した育成対象の育成を楽しむことができる。例えば、太古から現代に向かって成長する地球のモデルや、村や町から成長していく都市のモデルを育成対象としてもよい。
【００１６】
６．前記電子端末は、表示部と、操作部とを備え、前記表示部にゲーム画面を表示すると共に前記操作部の操作に応じて前記育成対象を育成する育成ゲームを実行可能に構成された育成ゲーム機であることを特徴とする手段２乃至５のいずれかに記載の遊技システム。
手段６によれば、表示部に表示されたゲーム画面の操作部による操作によって育成対象を育成することができるのに加えて、遊技機からの信号受信によっても育成対象を育成することができるので、育成ゲームにおける興趣の向上と遊技機における遊技意欲の高揚とを図ることができる。
【００１７】
７．前記所定のデータは、価値の大きさを表わす価値データであり、
前記データ書き込み手段は、前記受信手段により前記所定の信号を受信することに基づいて前記価値データを前記記憶手段に書き込み、
前記時間経過処理手段は、前記計時手段によって計測された時間経過に応じて前記記憶手段に記憶された前記価値データを減ずる処理を施し、
前記動作制御手段は、前記記憶手段に記憶された前記価値データに基づいて前記表現動作手段による表現動作を実行制御することを特徴とする手段１に記載の遊技システム。
手段７によれば、遊技機が、遊技の実行に伴って送信手段により所定の信号を送信すると、遊技者により所有されて遊技機に装着又は近傍に設置された電子端末が、受信手段により送信手段から送信される所定の信号を受信し、データ書き込み手段は所定の信号の受信に基づいて価値の大きさを表わす価値データを記憶手段に書き込む。そして、計時手段によって計測された時間経過に応じて、時間経過処理手段が記憶手段に記憶された価値データを減ずる処理を施し、制御手段が記憶手段に記憶された価値データに基づいて表現動作手段による表現動作を実行制御する。よって、遊技機上で遊技が実行されるのに伴って遊技者が所有する電子端末において価値データが記憶されるという遊技機における遊技とは別の楽しみを遊技者に与えることができる。また、電子端末の記憶手段に記憶された価値データが時間経過によって減少し、このことが表現動作手段による表現動作を通して遊技者により認識されるので、価値データによって表わされる価値の低下の防止や低下分の回復を望む遊技者の遊技機に対する遊技意欲の高揚が図られ、これにより遊技ホールへの来店頻度の向上や遊技の長時間化を図ることができる。
【００１８】
８．前記表現動作手段は、前記電子端末が前記遊技機から離隔されて前記受信手段による前記所定の信号の受信が不能な状態で、表現動作を実行可能であることを特徴とする手段１乃至７のいずれかに記載の遊技システム。
手段８によれば、表現動作手段は、電子端末が遊技機から離隔されて受信手段による所定の信号の受信が不能な状態で表現動作を実行可能であり、電子端末を所有する遊技者が遊技ホール外の場所（例えば、自宅）にいる時でも電子端末が表現動作手段により表現動作する。よって、遊技ホール外においても遊技者は電子端末の記憶手段に記憶された所定のデータに対応する価値や状況等が時間経過によって低下したことを認識することができ、遊技機に対する遊技意欲を高揚させて遊技ホールへの来店を促すことができる。
【００１９】
９．前記制御手段は、前記記憶手段に記憶された前記所定のデータが所定の閾値条件を満たした時に、前記表現動作手段による表現動作を実行制御することを特徴とする手段１乃至８のいずれかに記載の遊技システム。
手段９によれば、制御手段は、記憶手段に記憶された所定のデータが所定の閾値条件を満たした時に表現動作手段による表現動作を実行制御するので、遊技者は電子端末の記憶手段に記憶された所定のデータに対応する価値や状況等が時間経過によって低下したことを、表現動作手段による表現動作が行われることにより確実に認識することができる。
【００２０】
１０．前記表現動作手段は、複数パターンの表現動作を実行可能であり、
前記制御手段は、前記記憶手段に記憶された前記所定のデータによって表わされる価値や状況等の低下の度合いに応じて、前記表現動作手段が異なる表現動作を実行するように制御することを特徴とする手段１乃至９のいずれかに記載の遊技システム。
手段１０によれば、制御手段は、記憶手段に記憶された所定のデータによって表わされる価値や状況等の低下の度合いに応じて、表現動作手段が異なる表現動作を実行するように制御するので、遊技者は電子端末の記憶手段に記憶された所定のデータに対応する価値や状況等の低下の度合いを表現動作手段による表現動作のパターンを通して確実に認識することができる。
【００２１】
１１．前記データ記憶手段は、データ書き換え可能な不揮発性メモリからなることを特徴とする手段１乃至１０のいずれかに記載の遊技システム。
手段１１によれば、データ記憶手段がデータ書き換え可能な不揮発性メモリからなるので、電子端末の電源がオフされた後も所定のデータが確実に保持され、遊技機における複数回に亘る遊技を通じて所定の信号の受信及び所定のデータの記憶を継続的に行うことができる。
【００２２】
１２．前記遊技機は、前記電子端末を着脱可能に装着させる装着部を備え、
前記電子端末は、前記遊技機の前記装着部に装着された状態においてのみ、当該遊技機の送信手段から送信される前記所定の信号を前記受信手段によって受信可能であることを特徴とする手段１乃至１１のいずれかに記載の遊技システム。
手段１２によれば、電子端末は、遊技機の装着部に装着された状態においてのみ、当該遊技機の送信手段から送信される所定の信号を受信手段によって受信可能であるので、隣接配置された他の遊技機から誤って信号を受信することが確実に防止される。
【００２３】
１３．前記遊技機は、電力を供給する電力供給部を備え、
前記電子端末は、前記遊技機の装着部に装着された状態で、前記電力供給部から電力が供給されるように構成されたことを特徴とする手段１２に記載の遊技システム。
手段１３によれば、電子端末は、遊技機の装着部に装着された状態で、遊技機側の電力供給部から電力が供給されるので、電池切れ等で電子端末が動作不能となることがなく、遊技者は電子端末における電力消費を気にせずに長時間に亘り遊技に興ずることができる。
【００２４】
１４．前記電子端末は、内蔵電源を備え、
前記電子端末は、前記遊技機の装着部に装着された状態では前記電力供給部から電力が供給され、前記装着部から取り外した状態では前記内蔵電源によって動作するように構成されたことを特徴とする手段１３に記載の遊技システム。
手段１４によれば、電子端末は、遊技機の装着部に装着した状態と取り外した状態とで電源の切り換えを行うことにより、装着状態では内蔵電源の電力消費を防止し、取り外した状態においても内蔵電源によって表現動作手段が表現動作することができる。従って、電子端末を所有する遊技者が遊技ホール外の自宅等にいる時でも電子端末が表現動作手段により表現動作し、遊技者は電子端末の記憶手段に記憶された所定のデータに対応する価値や状況等が時間経過によって低下したことを認識することができるので、遊技者の遊技機に対する遊技意欲を高揚させて遊技ホールへの来店を促すことができる。
【００２５】
１５．前記電子端末は、内蔵電源を備えたことを特徴とする手段１乃至１２のいずれかに記載の遊技システム。
手段１５によれば、電子端末は、遊技機から取り外した状態でも内蔵電源によって動作することができる。
【００２６】
１６．前記表現動作手段は、発光を行う発光手段を含み、
前記制御手段は、前記記憶手段に記憶された前記所定のデータに基づいて、前記発光手段による発光を制御することを特徴とする手段１乃至１５のいずれかに記載の遊技システム。
手段１６によれば、電子端末において記憶手段に記憶された所定のデータに基づいて発光手段による発光が制御されるので、遊技者は、記憶手段における所定のデータの記憶内容が時間経過によって変化したことを発光を視認することにより認識することができる。
【００２７】
１７．前記表現動作手段は、画面表示を行う表示手段を備え、
前記制御手段は、前記記憶手段に記憶された前記所定のデータに基づいて、前記表示手段による画面表示を制御することを特徴とする手段１乃至１６のいずれかに記載の遊技システム。
手段１７によれば、電子端末において記憶手段に記憶された所定のデータに基づいて、表示手段による画面表示が制御されるので、遊技者は、記憶手段における所定のデータの記憶内容が時間経過によって変化したことを画面表示を視認することにより認識することができる。
【００２８】
１８．前記表示手段は、前記記憶手段に記憶された前記所定のデータによって表わされる価値や状況等が低下したことを示すメッセージを表示することを特徴とする手段１乃至１７のいずれかに記載の遊技システム。
手段１８によれば、記憶手段に記憶された所定のデータによって表わされる価値や状況等が時間経過によって低下したことを、遊技者は表示手段に表示されたメッセージを視認することによって確実に認識することができる。
【００２９】
１９．前記表示手段は、前記電子端末による前記所定の信号の受信を促すためのメッセージを表示することを特徴とする手段１８に記載の遊技システム。
手段１９によれば、遊技者は、電子端末による所定の信号の受信を促すためのメッセージの表示を視認することにより、遊技機に対する遊技意欲が高揚されて遊技ホールへの来店が促される。
【００３０】
２０．前記表現動作手段は、音声を発生する音声発生手段を含み、
前記制御手段は、前記記憶手段に記憶された前記所定のデータに基づいて、前記音声発生手段による音声の発生を制御することを特徴とする手段１乃至１９のいずれかに記載の遊技システム。
手段２０によれば、電子端末において記憶手段に記憶された所定のデータに基づいて、音声発生手段による音声の発生が制御されるので、遊技者は、記憶手段における所定のデータの記憶内容が時間経過によって変化したことを音声の発生を聴くことにより認識することができる。
【００３１】
２１．前記音声発生手段は、前記電子端末による前記所定の信号の受信を促すための音声メッセージを発生することを特徴とする手段２０に記載の遊技システム。
手段２１によれば、遊技者は、電子端末による所定の信号の受信を促すための音声メッセージを聴くことにより、遊技機に対する遊技意欲が高揚されて遊技ホールへの来店が促される。
【００３２】
２２．前記表現動作手段は、振動を発生する振動発生手段を備え、
前記制御手段は、前記記憶手段に記憶された前記所定のデータに基づいて、前記振動発生手段による振動の発生を制御することを特徴とする手段１乃至１９のいずれかに記載の遊技システム。
手段２２によれば、電子端末において記憶手段に記憶された所定のデータに基づいて、振動発生手段による振動の発生が制御されるので、遊技者は、記憶手段における所定のデータの記憶内容が時間経過によって変化したことを振動を感じることにより認識することができる。
【００３３】
２３．前記表現動作手段は、機械的動作を行う可動手段を含み、
前記制御手段は、前記記憶手段に記憶された前記所定のデータに基づいて、前記可動手段による機械的動作を制御することを特徴とする手段１乃至２２に記載の遊技システム。
手段２３によれば、電子端末において記憶手段に記憶された所定のデータに基づいて、可動手段による機械的動作が制御されるので、遊技者は、記憶手段における所定のデータの記憶内容が時間経過によって変化したことを機械的動作を視認することにより認識することができる。
【００３４】
２４．前記遊技機は、パチンコ遊技機であることを特徴とする手段１乃至２３のいずれかに記載の遊技システム。
手段２４によれば、遊技者のパチンコ遊技機に対する遊技意欲の高揚が図られ、これにより遊技ホールへの来店頻度の向上や遊技の長時間化を図ることができる。
【００３５】
２５．前記遊技機は、複数種類の図柄が表示された複数の回転リールを有し、前記各回転リールの回転停止時の図柄の組合わせに基づく入賞態様に応じて遊技球が払い出されるパチロット遊技機であることを特徴とする手段１乃至２３のいずれかに記載の遊技システム。
手段２５によれば、遊技者のパチロット遊技機に対する遊技意欲の高揚が図られ、これにより遊技ホールへの来店頻度の向上や遊技の長時間化を図ることができる。
【００３６】
２６．前記遊技機は、スロットマシンであることを特徴とする手段１乃至２３のいずれかに記載の遊技システム。
手段２６によれば、遊技者のスロットマシンに対する遊技意欲の高揚が図られ、これにより遊技ホールへの来店頻度の向上や遊技の長時間化を図ることができる。
【００３７】
２７．遊技者により所有されされ且つ遊技の実行に伴って所定の信号を送信する送信手段を備えた遊技機に装着又は近傍に設置される遊技機用の電子端末であって、
データを書き換え可能に記憶する記憶手段と、
前記送信手段から送信される前記所定の信号を受信する受信手段と、
その受信手段により前記所定の信号を受信することに基づいて、価値や状況等を表わす所定のデータを前記記憶手段に書き込むデータ書き込み手段と、
時間の経過を計測する計時手段と、
感情等を表現する表現動作を実行可能な表現動作手段と、
前記計時手段によって計測された時間経過に応じて、前記記憶手段に記憶された前記所定のデータに対して価値や状況等を低下させる処理を施す時間経過処理手段と、
前記記憶手段に記憶された前記所定のデータに基づいて前記表現動作手段による表現動作を実行制御する動作制御手段と
を備えたことを特徴とする電子端末。
手段２７によれば、遊技機が、遊技の実行に伴って送信手段により所定の信号を送信すると、遊技者により所有されて遊技機に装着又は近傍に設置された電子端末が、受信手段により送信手段から送信される所定の信号を受信し、データ書き込み手段は所定の信号の受信に基づいて価値や状況等を表わす所定のデータを記憶手段に書き込む。そして、計時手段によって計測された時間経過に応じて、時間経過処理手段が記憶手段に記憶された所定のデータに対して価値や状況等を低下させる処理を施し、制御手段が記憶手段に記憶された所定のデータに基づいて表現動作手段による表現動作を実行制御する。よって、遊技機上で遊技が実行されるのに伴って遊技者が所有する電子端末において価値や状況等を表わす所定のデータが記憶されるという遊技機における遊技とは別の楽しみを遊技者に与えることができる。また、電子端末の記憶手段に記憶された所定のデータに対応する価値や状況等が時間経過によって低下し、このことが表現動作手段による表現動作を通して遊技者により認識されるので、所定のデータによって表わされる価値等の低下の防止や低下分の回復を望む遊技者の遊技機に対する遊技意欲の高揚が図られ、これにより遊技ホールへの来店頻度の向上や遊技の長時間化を図ることができる。さらに、電子端末があたかも遊技者のパートナーとして感情等を表現する動作を行うことにより、遊技者の興味を惹きつけて、遊技の興趣を向上させることができる。
【発明の効果】
【００３８】
本発明によれば、遊技機が、遊技の実行に伴って送信手段により所定の信号を送信すると、遊技者により所有されて遊技機に装着又は近傍に設置された電子端末が、受信手段により送信手段から送信される所定の信号を受信し、データ書き込み手段は所定の信号の受信に基づいて価値や状況等を表わす所定のデータを記憶手段に書き込む。そして、計時手段によって計測された時間経過に応じて、時間経過処理手段が記憶手段に記憶された所定のデータに対して価値や状況等を低下させる処理を施し、制御手段が記憶手段に記憶された所定のデータに基づいて表現動作手段による表現動作を実行制御する。よって、遊技機上で遊技が実行されるのに伴って遊技者が所有する電子端末において価値や状況等を表わす所定のデータが記憶されるという遊技機における遊技とは別の楽しみを遊技者に与えることができる。また、電子端末の記憶手段に記憶された所定のデータに対応する価値や状況等が時間経過によって低下し、このことが表現動作手段による表現動作を通して遊技者により認識されるので、所定のデータによって表わされる価値等の低下の防止や低下分の回復を望む遊技者の遊技機に対する遊技意欲の高揚が図られ、これにより遊技ホールへの来店頻度の向上や遊技の長時間化を図ることができる。さらに、電子端末があたかも遊技者のパートナーとして感情等を表現する動作を行うことにより、遊技者の興味を惹きつけて、遊技の興趣を向上させることができる。
【発明を実施するための最良の形態】
【００３９】
以下、本発明の遊技システム及び遊技機用の電子端末を具体化した各実施形態について図面を参照しつつ説明する。最初に、第一の実施形態の遊技システムＳ及び電子ペット１０１について説明する。
【００４０】
本実施形態の遊技システムＳは、図１に示すように、パチンコ遊技機（以下、単に「パチンコ機」と称する）１と、パチンコ機１に着脱可能に装着される電子ペット１０１とから構成されている。図１は、パチンコ機１に電子ペット１０１が装着された状態を示す正面図、図２は、パチンコ機１を示す側面図、図３は、パチンコ機１から電子ペット１０１を取り外した状態を示す正面図である。尚、パチンコ機１が本発明の遊技機を、電子ペット１０１が電子端末をそれぞれ構成するものである。
【００４１】
パチンコ機１は、内部の遊技球払い出し機構を利用して遊技球の貸し出しを行うＣＲ機と称されるタイプのパチンコ機であり、遊技ホールでは図示しないカードユニットが隣接配置され且つ電気的に接続される。
【００４２】
パチンコ機１は、図１乃至図２に示すように、外枠２と、その外枠２の前部に設けられ外枠２の一側部にて開閉可能に支持され且つ遊技領域１４を有する本体枠３とを備えている。外枠２は、パチンコ機１のベースとなる枠であり、板材により全体として矩形状に構成され、本体枠３を矩形開口内にて開閉可能に支持している。尚、本実施の形態では、外枠２の上下方向の長さは８０８ｍｍ、左右方向の長さは５２０ｍｍとなっている。
【００４３】
本体枠３は、合成樹脂、具体的にはＡＢＳ樹脂により構成されている。本体枠３の開閉軸線はパチンコ機１の正面から見て左側に上下に延びるように設定されている。尚、外枠２は樹脂により構成されていてもよく、あたかも外枠２及び本体枠３が一体物に見えるように構成されていてもよい。本体枠３には、後述する下皿ユニット５１を除く本体枠３の前面側を覆うように、ガラス扉枠４が本体枠３左端の垂直軸心回りに開閉自在に設けられている。
【００４４】
ガラス扉枠４の開閉軸線（軸支部）は、パチンコ機１の正面から見て左側に上下に延びるように設定されている。詳しくは、ガラス扉枠４の左側の上端部付近に図示しない回動軸が設けられ、本体枠３の正面から見て左側の上端部付近には回動軸が嵌め込まれる軸受部９２が設けられている。また、軸受部９２の下方には、上方に突出する突回動軸９３が設けられ、ガラス扉枠４の下側面には、前記回動軸の下方位置において、前記突回動軸９３を嵌め込むための図示しない軸受凹部が設けられている。そして、突回動軸９３を前記軸受凹部に嵌め込み、回動軸を軸受部９２に嵌め込むことによって、ガラス扉枠４が軸支され開閉可能となる。このように本実施の形態では、回動軸と突回動軸９３を結ぶ線がガラス扉枠４の開閉軸線として設定されている。
【００４５】
本体枠３の後側（ガラス扉枠４の奥、外枠２の内側）には、図４に示すように、遊技盤５が着脱可能に装着されている。尚、図４は、ガラス扉枠４を開放した状態における本体枠３、遊技盤５等を示す正面図である。遊技盤５は、その周縁部が本体枠３の裏側に当接した状態で取り付けられており、図４では、遊技盤５の前面部の略中央部分だけが本体枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、スルーチャッカー１０、図柄変動表示装置５７等が配設されている。
【００４６】
図柄変動表示装置５７は、長方形状を呈する液晶ディスプレイを備え、左図柄列、中図柄列及び右図柄列の３つの表示列が画面表示される。各図柄列は複数の図柄によって構成されており、これら図柄が各図柄列毎にスクロールされるように表示画面に可変表示されるようになっている。
【００４７】
図柄変動表示装置５７の制御を行う表示制御回路７１を搭載した表示制御基板、後述するスピーカ５９における音声出力の制御を行う音声制御基板等を含む各種の制御基板は、図２に示すように、遊技盤５の背面側に設けた透明樹脂製の裏パック５ａによって覆われている。また、パチンコ機１の主制御を行う主制御回路７０を搭載したメイン基板はメイン基板ボックス５ｂに、入賞による遊技球の払い出しやカードユニットからの貸し出し要求に基づいて遊技球の払い出しを行う払出ユニット７４の制御を行う払出制御回路７３及び遊技球の発射を行う発射装置３１の制御を行う発射制御回路を搭載した払出発射制御基板は払出発射制御基板ボックス５ｃにそれぞれ収納されている。
【００４８】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生がスピーカ５９から出力される効果音によって報知される。
【００４９】
また、周知のとおり、前記一般入賞口６、可変入賞装置７、作動チャッカー８に遊技球Ｂが入賞して図示しない入賞感知スイッチを通過することに基づいて、払出ユニット７４より後述する上皿５４（場合によっては下皿５３）に対し所定数の遊技球が景品球として払い出されるようになっている。また、遊技盤５には、遊技球Ｂの落下方向を適宜分散、調整等するために多数の釘が植設されているとともに、風車９等の各種部材（役物）が配設されている。
【００５０】
さて、本体枠３は、図４に示すように、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００５１】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、本体枠３の内周側の窓孔によって主として遊技領域１４の外縁部１４ａが確定されており、本体枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている。
【００５２】
次に、遊技領域１４について説明する。本実施の形態では、遊技領域１４を、パチンコ機１の正面から見て、内レール１２及び外レール１３によって囲まれる領域のうち、内外レール１２，１３の並行部分である誘導レールの領域を除いた略円形状の領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。尚、遊技領域１４の形状は、略円形状には限られず、略楕円形状としても構わない。
【００５３】
併せて、図１乃至図２に示すように、ガラス扉枠４の存在していない本体枠３下部は、例えばＡＢＳ樹脂よりなる下皿ユニット５１となっている。下皿ユニット５１の右下部からは、遊技球発射用ハンドル５２が手前側に延設されている。また、下皿ユニット５１の略中央には景品球払出用の下皿５３が設けられている。下皿５３は、上皿５４から誘導された遊技球、本体枠３より払い出された遊技球又は発射装置３１によって発射された遊技球のうち遊技盤５に到達しなかった遊技球を受けて貯留する球受皿である。
【００５４】
次に、ガラス扉枠４の構成について図１，図２等を参照しつつ説明する。ガラス扉枠４の略中央には、遊技領域１４の殆どを外部から視認することができるように略円形状の視認窓４１が形成されている。また、視認窓４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域１４に案内される通過点に過ぎず、遊技者が主として遊技を楽しむ遊技領域１４において遊技球Ｂが視認困難となるわけではない。そのため、実際の遊技に際しては何ら支障が生じない。また、このような支障が生じない一方で、ガラス扉枠４の十分な強度及び支持強度が確保可能となっている。
【００５５】
また、ガラス扉枠４には、裏側から一対のガラス板４２が並行して取り付けられている。ベース部４０の左右方向の長さは、本体枠３とほぼ同等であり、そのガラス扉枠４によって本体枠３下部に設けられた下皿ユニット５１を除く殆どの部分が覆われるようになっている。また、視認窓４１の周囲には、電球やＬＥＤからなる電飾部材４６が配設されている。
【００５６】
ガラス扉枠４の視認窓４１下方の下部フレームには、上皿５４が一体的に設けられている。上皿５４は、図５の平面図に示すように、合成樹脂製の皿本体５５と、皿本体５５を囲む合成樹脂製の皿カバー体５６とから構成されている。上皿５４は、本体枠３より払い出された遊技球や遊技者によって投入された遊技球を貯留して発射装置３１へ供給する球受皿である。
【００５７】
皿本体５５は、払出ユニット７４より払出し口３２，４５を介して払い出された遊技球及び遊技者により投入された遊技球を貯留する凹状の貯留部５５ａを有し、貯留部５５ａの底部は右下がりに緩やかに傾斜している。また、貯留部５５ａには、右側に向かって徐々に幅狭となるように形成されると共に、貯留された遊技球を一列に整流してガラス扉枠４の図示しない供給穴を通して発射装置３１に誘導する整流部５５ｂが設けられている。整流部５５ｂの底面には、細長い長方形状の金属板５５ｃが装着されている。金属板５５ｃは、遊技球の流れをスムーズにする機能、底面を補強して摩擦による削れを防止する機能、ノイズを防止する機能等を有している。さらに、整流部５５ｂの最も低い位置に球抜き穴５５ｄが形成されている。
【００５８】
ガラス扉枠４前面の視認窓４１と上皿５４との間には、遊技球の貸し出しに関する操作を行うための貸球操作部４８が配設されている。貸球操作部４８は、図１等に示すように、遊技球の貸し出し可能状態をランプによって示す貸出ボタンランプ４８ａ、遊技球の貸し出しを行うための貸出ボタン４８ｂ、プリペイドカードの返却を行うための返却ボタン４８ｃ、プリペイドカードの残り度数を表示する度数表示ＬＥＤ４８ｄとを備えている。
【００５９】
ガラス扉枠４の上皿５４の右側には、図１，図２に示すように、電子ペット１０１が着脱可能に装着される装着部５８が設けられている。装着部５８は、図６に示すように、上向きに開口した中空部を有するホルダ部５８ａと、ホルダ部５８ａによって囲まれた中空部内の底部に設けられるコネクタ部５８ｂとを備えている。図６（ａ）は、装着部５８の正面図、（ｂ）は上面図、（ｃ）は（ｂ）におけるＡ−Ａ線断面図、（ｄ）は電子ペット１０１が装着された状態を示す図である。電子ペット１０１は、縦置き姿勢でホルダ部５８ａへ装着・取外し可能となっている。コネクタ部５８ｂは、信号出力端子５８ｃ及び電源出力端子５８ｄを備えている。尚、信号出力端子５８ｃが本発明の信号送信手段を、電源出力端子５８ｄが電力供給部をそれぞれ構成するものである。電子ペット１０１側の端子部１０７がコネクタ部５８ｂと接続されることにより、電子ペット１０１とパチンコ機１との機械的接続及び電気的接続が図られる（図６（ｄ）参照）。コネクタ部５８ｂの信号出力端子５８ｃから出力される信号には、遊技球が作動チャッカー８に入賞したことを示す作動チャッカー入賞信号、及び大当り遊技状態が発生したことを示す大当り信号がある。
【００６０】
次に、電子ペット１０１の構成について図７及び図８を参照しつつ説明する。ここで、図７（ａ）は、電子ペット１０１の正面図、（ｂ）は背面を示す斜視図、（ｃ）は側面図である。図８は、電子ペット１０１の回路構成を含む遊技システムＳの全体を示すブロック図である。電子ペット１０１は、図７に示すように、筐体１０２と、２個の目型ディスプレイ１０３，１０３と、８個の赤色ＬＥＤ１０４ａ〜１０４ｈと、２個の緑色ＬＥＤ１０５，１０５と、バイブレータ１０６と、端子部１０７とを備えている。尚、目型ディスプレイ１０３が本発明の表現動作手段及び表示手段を、赤色ＬＥＤ１０４ａ〜１０４ｈ、緑色ＬＥＤ１０５が表現動作手段及び発光手段を、バイブレータ１０６が表現動作手段及び振動発生手段をそれぞれ構成するものである。
【００６１】
筐体１０２は、小動物を模した外観形状を呈する半透明樹脂からなるケース部材であり、前面部材１０２ａと、下向きに開口するスリット１０２ｃを挟んで背面側に設けられた背面部材１０２ｂとからなる。スリット１０２ｃは、装着部５８のホルダ部５８ａに挿入することができるようにホルダ部５８ａの厚さより若干大きめに形成され、電子ペット１０１は、ホルダ部材５８ａの前方側に前面部材１０２ａが、後方側の中空部内に背面部材１０２ｂがそれぞれ位置するように、装着部５８に対して装着される。
【００６２】
目型ディスプレイ１０３，１０３は、筐体１０２の前面部材１０２ａ頭部の左右両側に設けられた丸形のＬＥＤディスプレイである。目型ディスプレイ１０３，１０３は、図９，１０に示すように、５通りの目の表情を表わすことができる。具体的には、図９（ａ）は、通常の表情を表わす「丸目」の表示例を、（ｂ）は微笑んでいる表情を表わす「ニコ目」の表示例を、（ｃ）はがっかりした表情を表わす「下がり目」の表示例を示している。また、図１０（ａ）は喜びの表情を表わす「星目」の表示例を、（ｂ）は最大の喜びの表情を表わす「ハート目」の表示例を示している。図１１は、目型ディスプレイ１０３，１０３の表示及びバイブレータ１０６のオン・オフパターンを示す表である。
【００６３】
赤色ＬＥＤ１０４ａ〜１０４ｈは、筐体１０２の前面部材１０２ａ内部に設けられた赤色の光を発するＬＥＤであり、前面部材１０２ａ全体にほぼ等間隔で配置されている。赤色ＬＥＤ１０４ａ〜１０４ｈは、個別に点灯・消灯の制御が可能であり、赤色ＬＥＤ１０４ａ〜１０４ｈの点灯個数によって、育成対象である擬似生物としての電子ペット１０１の育成レベルが表現される。図１２に示す表は、育成レベル別の赤色ＬＥＤ１０４ａ〜１０４ｈ及び緑色ＬＥＤ１０５，１０５の点灯・消灯パターンを表わしている。尚、赤色ＬＥＤ１０４ａ〜１０４ｈは、筐体１０２の前面部材１０２ａは、上述したとおり、半透明樹脂からなるため、赤色ＬＥＤ１０４ａ〜１０４ｈが発する赤色光を外部から視認することができる。
【００６４】
緑色ＬＥＤ１０５，１０５は、筐体１０２後部表面に設けられた緑色の光を発するＬＥＤである。緑色ＬＥＤ１０５，１０５は、赤色ＬＥＤ１０４ａ〜１０４ｈと同様に電子ペット１０１の育成レベルを表現するものであり、赤色ＬＥＤ１０４ａ〜１０４ｈの全てが点灯された状態で緑色ＬＥＤ１０５，１０５が点灯されることにより、育成レベルが最高であることを表現する。
【００６５】
バイブレータ１０６は、筐体１０２の前面部材１０２ａ内部に設けられ、オンされることにより振動を発生する振動発生部材であり、従来より携帯電話機に内蔵されているバイブレータと同様の部材である。
【００６６】
端子部１０７は、筐体１０２の背面部材１０２ｂ後端部に設けられ、信号入力端子１０７ａ及び電源入力端子１０７ｂを備えている。尚、信号入力端子１０が、本発明の受信手段を構成するものである。端子部１０７がパチンコ機１装着部５８のコネクタ部５８ｂに接続されることにより、信号入力端子１０７ａと信号出力端子５８ｃとが、電源入力端子１０７ｂと電源出力端子５８ｄとがそれぞれ電気的に接続される。そして、パチンコ機１の主制御基板７０から送信された信号が信号出力端子５８ｃより出力されると、信号入力端子１０７ａを介してＣＰＵ１１１に入力される。また、パチンコ機１から出力される電源が、電源出力端子５８ｄ及び電源入力端子１０７ｂを介してＣＰＵ１１１を含む電子ペット１０１各部へ供給される。
【００６７】
次に、電子ペット１０１の電気的回路構成について、図８に示すブロック図を参照しつつ説明する。電子ペット１０１は、ＣＰＵ１１１と、ＲＯＭ１１２と、ＲＡＭ１１３と、不揮発性メモリ１１４と、日時データを出力するリアルタイムクロック１１５と、電子ペット１０１各部に電源を供給する電池１１６とを備えている。ＣＰＵ１１１は、各部を制御する制御手段として機能する中央処理装置であり、タイマを内蔵している。ＲＯＭ１１２には、ＣＰＵ１１１によって読み出されて実行される制御プログラムやデータテーブル等が格納されている。ＲＡＭ１１３は、ＣＰＵ１１１が制御プログラムを実行する際のワークエリアとして使用される。不揮発性メモリ１１４は、データ書き換え可能な不揮発性の記憶媒体であって育成データを不揮発的に記憶する。尚、ＣＰＵ１１１が、本発明の制御手段及びデータ書き込み手段を、不揮発性メモリ１１４が記憶手段を、ＣＰＵ１１１に内蔵されたタイマが計時手段をそれぞれ構成するものである。
【００６８】
尚、電子ペット１０１では、装着部５８への装着及び装着部５８からの取外しを検出可能に構成され、装着部５８へ装着された状態ではパチンコ機１の電源出力端子５８ｄからの電源供給により動作し、装着部５８から取り外された状態では電池１１６により動作するように電源の切り換えを行う構成となっている。
【００６９】
次に、装着部５８に装着された電子ペット１０１において実行される処理の流れについて図１３及び図１４に示すフローチャートを参照しつつ説明する。電子ペット１０１をパチンコ機１の装着部５８に装着し、端子部１０７をコネクタ５８ｂに接続すると、電子ペット１０１の電源が電池１１６からパチンコ機１側に切り替えられる（ステップ１。以下、Ｓ１と略記する。他のステップも同様。）。続いて、不揮発性メモリ１１４に記憶された育成データの値に基づいて、現在の育成レベルを算出する（Ｓ２）。育成レベルは、０〜９までの１０段階となっており、育成データの値が大きくなるに従って上位の育成レベルとなる。例えば、育成データ値０〜９９を育成レベル０、育成データ値１００〜１９９を育成レベル１，・・・のように設定する。
【００７０】
次に、現在の育成レベルに基づいて、赤色ＬＥＤ１０４ａ〜１０４ｈ、緑色ＬＥＤ１０５，１０５の点灯制御を行う（Ｓ３）。育成レベル別の赤色ＬＥＤ・緑色ＬＥＤの点灯パターンは、図１２の表に示す通りである。例えば、育成レベル０では、全てのＬＥＤが消灯される。育成レベル１では、赤色ＬＥＤ１０４ａのみが点灯される。以後、育成レベルが１段階上がるに従って、赤色ＬＥＤ１０４ｂ、１０４ｃ・・・のように点灯個数が１ずつ増加し、育成レベル８では赤色ＬＥＤ１０４ａ〜１０４ｈの全てが点灯し、さらに、最高の育成レベルである育成レベル９では緑色ＬＥＤ１０５，１０５が点灯する。その後、目型ディスプレイ１０３，１０３に「丸目」の表示を行う（Ｓ４）。
【００７１】
次に、パチンコ機１から信号を受信したか否かを判定する（Ｓ５）。信号を受信した場合（Ｓ５：Ｙｅｓ）、受信した信号が作動チャッカー入賞信号か否かを判別する（Ｓ６）。受信した信号が作動チャッカー入賞信号の場合（Ｓ６：Ｙｅｓ）、目型ディスプレイ１０３，１０３に「星目」（図１０（ａ）参照）を一定時間表示すると共に（Ｓ７）、育成データに１ポイントを加算する（Ｓ８）。
【００７２】
受信した信号が作動チャッカー入賞信号でない場合（Ｓ６：Ｎｏ）、大当り信号か否かを判別する（Ｓ９）。受信した信号が大当り信号の場合（Ｓ９：Ｙｅｓ）、目型ディスプレイ１０３，１０３に「ハート目」（図１０（ｂ）参照）を一定時間表示すると共に（Ｓ１０）、育成データに３０ポイントを加算する（Ｓ１１）。受信した信号が大当り信号でない場合（Ｓ９：Ｎｏ）、Ｓ５に戻る。尚、Ｓ８及びＳ１１の処理が、本発明のデータ書き込み手段として機能するものである。Ｓ８又はＳ１１で育成データにポイント加算された後、育成データに基づいて現在の育成レベルを求め（Ｓ１２）、現在の育成レベルに基づいて赤色ＬＥＤ１０４ａ〜１０４ｈ、緑色ＬＥＤ１０５，１０５の点灯制御を行う（Ｓ１３）。
【００７３】
次に、現在の育成レベルが前回の育成レベルより上昇したかを判別し（Ｓ１４）、育成レベルが上昇した場合（Ｓ１４：Ｙｅｓ）、目型ディスプレイ１０３，１０３に「ニコ目」（図９（ｂ）参照）を一定時間表示すると共に（Ｓ１５）、バイブレータ１０６を一定時間オンする（Ｓ１６）。その後、目型ディスプレイ１０３，１０３に「丸目」の表示を行い（Ｓ１７）、Ｓ５へ戻る。
【００７４】
ここで、図１５は、電子ペット１０１における表現動作例を示す図である。図１５（ａ）では、育成レベル２の遊技開始時の状態を示しており、赤色ＬＥＤ１０４ａ及び１０４ｂの２個の赤色ＬＥＤが点灯されている。遊技者は、赤色ＬＥＤ１０４ａ及び１０４ｂの点灯を視認することにより電子ペット１０１の育成レベルを認識することができる。図１５（ｂ）は、大当り発生直後の状態を示しており、目型ディスプレイ１０３，１０３に「ハート目」が一定時間表示される。遊技者は、目型ディスプレイ１０３，１０３の「ハート目」表示を視認することによって、大当りの喜びがより一層増大される。図１５（ｃ）は、大当り発生によって育成状態にポイントが加算されて育成レベルが２から３へ向上した状態を示しており、赤色ＬＥＤ１０４ａ、１０４ｂ及び１０４ｃの３個の赤色ＬＥＤが点灯されると共に、目型ディスプレイ１０３，１０３に「ニコ目」が表示され、さらにバイブレータ１０６が振動する。遊技者は、赤色ＬＥＤの点灯が増えるのを視認することにより、育成レベルが向上したことを認識し、目型ディスプレイ１０３，１０３の「ニコ目」表示及びバイブレータ１０６の振動によって気分が盛り上げられる。
【００７５】
そして、電子ペット１０１を装着部５８から取り外して端子部１０７とコネクタ５８ｂとの電気的接続が解除されることによって、図１３、図１４に示すフローチャートの処理が終了して、電池１１６を電源として動作する待機状態となる。
【００７６】
次に、電子ペット１０１がパチンコ機１の装着部５８から取り外された状態で実行される処理の流れについて図１６に示すフローチャートを参照しつつ説明する。尚、図１６に示すルーチンは、電子ペット１０１が装着部５８から取り外された時点から所定時間間隔で呼び出されて実行される。また、図１６に示すルーチンが呼び出される所定時間間隔は、例えば、８時間、１２時間又は２４時間のように設定してもよく、最初の呼び出しを３日間後に行い、以後１日間隔で呼び出しを行うようにしてもよい。
【００７７】
まず、目型ディスプレイ１０３，１０３に「丸目」の表示を行う（Ｓ２１）。次に、不揮発性メモリ１１４に記憶された育成データより１ポイントを減算する（Ｓ２２）。尚Ｓ２２の処理が、本発明の時間経過処理手段として機能するものである。続いて、育成データに基づいて現在の育成レベルを求め（Ｓ２３）、現在の育成レベルに基づいて赤色ＬＥＤ１０４ａ〜１０４ｈ、緑色ＬＥＤ１０５，１０５の点滅制御を行う（Ｓ２４）。次に、現在の育成レベルが前回の育成レベルより低下したかを判別し（Ｓ２５）、育成レベルが低下した場合（Ｓ２５：Ｙｅｓ）、目型ディスプレイ１０３，１０３に「下がり目」（図９（ｂ）参照）を一定時間表示すると共に（Ｓ２６）、バイブレータ１０６を一定時間オンした後（Ｓ２７）、本ルーチンを終了する。Ｓ２５で育成レベルが変化していない場合は（Ｓ２５：Ｎｏ）、そのまま本ルーチンを終了する。
【００７８】
ここで、図１７は、パチンコ機１の装着部５８から取り外した状態での電子ペット１０１の表現動作例を示す図である。図１７では、前回のパチンコ機１における遊技終了時（電子ペット１０１取外し時）からの時間経過によって育成レベル４から３に下がった状態を示しており、赤色ＬＥＤ１０４ａ、１０４ｂ及び１０４ｃの３個の赤色ＬＥＤが点滅されると共に、目型ディスプレイ１０３，１０３に「下がり目」が表示され（Ｓ２２）、さらにバイブレータ１０６が振動している（Ｓ２３）。遊技者は、赤色ＬＥＤの点滅を視認することにより現在の育成レベルを認識すると共に、目型ディスプレイ１０３，１０３の「下がり目」表示及びバイブレータ１０６の振動によって、時間経過に伴う育成レベルの低下を認識することができる。
【００７９】
以上詳述したことから明らかなように、本実施形態の遊技システムＳによれば、パチンコ機１が、遊技の実行に伴って信号出力端子５８ｃより所定の信号（作動チャッカー入賞信号、大当り信号）を送信すると、遊技者により所有されてパチンコ機１に装着された電子ペット１０１が、信号出力端子５８ｃから送信された信号を信号入力端子１０７ａにより受信し、その信号受信に基づいて育成データを不揮発性メモリ１１４に書き込む。そして、ＣＰＵ１１１に内蔵されたタイマによって計測された時間経過に応じて、不揮発性メモリ１１４に記憶された育成データに対してポイントを減ずる処理を施し、ＣＰＵ１１１が不揮発性メモリ１１４に記憶された育成データに基づいて目型ディスプレイ１０３，１０３、赤色ＬＥＤ１０４ａ〜１０４ｈ、２個の緑色ＬＥＤ１０５，１０５、又はバイブレータ１０６による表現動作を実行制御する。
【００８０】
よって、パチンコ機１上で遊技が実行されるのに伴って遊技者が所有する電子ペット１０１において擬似生物の育成データが記憶されるというパチンコ機１における遊技とは別の楽しみを遊技者に与えることができる。また、電子ペット１０１の不揮発性メモリ１１４に記憶された育成データのポイントが時間経過によって低下し、このことが目型ディスプレイ１０３，１０３、赤色ＬＥＤ１０４ａ〜１０４ｈ等の表現動作手段による表現動作を通して遊技者により認識されるので、育成データによって表わされる擬似生物の育成状況の低下の防止や低下分の回復を望む遊技者のパチンコ機１に対する遊技意欲の高揚が図られ、これにより遊技ホールへの来店頻度の向上や遊技の長時間化を図ることができる。さらに、電子ペット１０１があたかも遊技者のパートナーとして感情等を表現する動作を行うことにより、遊技者の興味を惹きつけて、遊技の興趣を向上させることができる。
【００８１】
また、電子ペット１０１は、パチンコ機１の装着部５８に装着された状態で、パチンコ機１側の電源出力端子５８ｄを介して電力が供給されるので、電池切れ等で電子ペット１０１が動作不能となることがなく、遊技者は電子ペット１０１における電力消費を気にせずに長時間に亘り遊技に興ずることができる。また、電子ペット１０１は、パチンコ機１の装着部５８に装着された状態においてのみ、当該パチンコ機１から送信される所定の信号を受信可能であるので、隣接配置された他の遊技機から誤って信号を受信することが確実に防止される。
【００８２】
また、電子ペット１０１は、所定の表現動作を実行する表現動作手段として目型ディスプレイ１０３，１０３と、赤色ＬＥＤ１０４ａ〜１０４ｈと、２個の緑色ＬＥＤ１０５，１０５と、バイブレータ１０６とを備え、パチンコ機１において遊技を行っている最中に、不揮発性メモリ１１４に記憶された育成データに基づいて所定の表現動作の実行が制御されるので、遊技者は電子ペット１０１の育成状況を表現動作によって知ることができ、パチンコ機１における遊技実行に対する意欲向上を図ることができる。特に、電子ペット１０１が擬似生物の外観を呈するペット型ロボットであるので、親しみやすいペット型ロボットが、育成状況に応じて表現動作を行うことにより、遊技者における愛着を増大させることができ、より一層効果的に育成に対する興趣の向上が図られる。
【００８３】
また、電子ペット１０１は、パチンコ機１から離隔されて信号受信が不能な状態において、目型ディスプレイ１０３，１０３、赤色ＬＥＤ１０４ａ〜１０４ｈ、２個の緑色ＬＥＤ１０５，１０５、バイブレータ１０６による表現動作を実行可能であり、電子ペット１０１を所有する遊技者が遊技ホール外の場所（例えば、自宅）にいる時でも、電子ペット１０１が所定時間間隔で表現動作を行う。よって、遊技ホール外においても遊技者は電子ペット１０１の不揮発性メモリ１１４に記憶された育成データによって表わされる育成状況が時間経過によって低下したことを認識することができ、パチンコ機１に対する遊技意欲を高揚させて遊技ホールへの来店を促すことができる。特に、電子ペット１０１は、育成データの低下の度合いに応じて、赤色ＬＥＤ１０４ａ〜１０４ｈ等が異なる表現動作を実行するように制御するので、遊技者は育成状況の低下を確実に認識することができる。
【００８４】
次に、本発明の第二の実施形態について図面を参照しつつ説明する。本実施形態の遊技システムＳ’は、図１８に示すように、第一の実施形態における電子ペット１０１に代えて、液晶ディスプレイ１２４を備えた電子ペット１２１を装着する構成としたものであり、パチンコ機１は第一の実施形態と共通である。尚、上述した第一の実施形態と同一部材には同一の符号を付し、それらについての詳細な説明を省略する。
【００８５】
以下、電子ペット１２１の構成について図１９、２０を参照しつつ説明する。ここで、図１９（ａ）は、電子ペット１２１の正面図、（ｂ）は背面を示す斜視図、（ｃ）は側面図である。図２０は、電子ペット１２１の回路構成を含む第二の実施形態の遊技システムＳ’の全体を示すブロック図である。
【００８６】
電子ペット１２１は、図１９に示すように、電子ペット１０１における赤色ＬＥＤ１０４ａ〜１０４ｈに代えて、液晶ディスプレイ１２４が設けられている。尚、目型ディスプレイ１０３、液晶ディスプレイ１２４が本発明の表現動作手段及び表示手段を、緑色ＬＥＤ１０５が表現動作手段及び発光手段を、バイブレータ１０６が表現動作手段及び振動発生手段をそれぞれ構成するものである。
【００８７】
液晶ディスプレイ１２４は、各種のメッセージを表示可能に構成された矩形状の液晶表示装置（ＬＣＤ）であり、筐体１０２の前面部材１０２ａの略中央に配設されている。
【００８８】
ＲＯＭ１１２には、液晶ディスプレイ１２４にて表示される複数のメッセージデータからなるメッセージテーブル１１２ａが記憶されている。ここで、図２１は、メッセージテーブル１１２ａの一例を示している。メッセージテーブル１１２ａには、ポイント報知メッセージ及び遊技促進メッセージの２種類が記憶されている。ポイント報知メッセージは、現在のポイント数を報知するためのメッセージであり、ポイント報知メッセージＡ〜Ｃの３パターンがある。遊技促進メッセージは、パチンコ機１で遊技を行って電子ペット１２１による信号受信を促進するためにポイント数の低下の度合いに応じて表示されるメッセージであり、遊技促進メッセージＡ〜Ｃの３パターンがある。尚、遊技促進メッセージが、本発明の「電子端末による所定の信号の受信を促すためのメッセージ」に相当する。
【００８９】
不揮発性メモリ１１４には、現在のポイント数、及び前回の遊技終了時からの低下ポイント数が不揮発的に記憶されている。尚、電子ペット１２１では、装着部５８へ装着された状態ではパチンコ機１からの電源供給により動作し、装着部５８から取り外された状態では電池１１６により動作可能となっており、装着部５８への装着及び装着部５８からの取外しを検出可能に構成されている。
【００９０】
次に、装着部５８に装着された電子ペット１２１において実行される処理の流れについて図２２に示すフローチャートを参照しつつ説明する。電子ペット１２１をパチンコ機１の装着部５８に装着し、端子部１０７をコネクタ５８ｂに接続することにより、図２２に示すフローチャートを記述したプログラムが呼び出される。最初に、電源が電池１１６からパチンコ機１側に切り替えられ、低下ポイント数に０が設定されると（Ｓ３１）、ＲＯＭ１１２のメッセージテーブル１１２ａからポイント数報知メッセージＡ「現在のポイント数は○○です。」を読み出して液晶ディスプレイ１２４に表示する（Ｓ３２）。尚、「○○」には、不揮発性メモリ１１４から読み出した現在のポイント数が入る（以下、同様）。続いて、目型ディスプレイ１０３，１０３に「丸目」を表示する（Ｓ３３、図２３（ａ）参照）。
【００９１】
次に、パチンコ機１から信号を受信したか否かを判定する（Ｓ３４）。信号を受信した場合（Ｓ３４：Ｙｅｓ）、受信した信号が作動チャッカー入賞信号か否かを判別する（Ｓ３５）。受信した信号が作動チャッカー入賞信号の場合（Ｓ３５：Ｙｅｓ）、目型ディスプレイ１０３，１０３に「星目」（図１０（ａ）参照）を一定時間表示すると共に（Ｓ３６）、育成データに１ポイントを加算する（Ｓ３７）。
【００９２】
受信した信号が作動チャッカー入賞信号でない場合（Ｓ３５：Ｎｏ）、大当り信号か否かを判別する（Ｓ３８）。受信した信号が大当り信号の場合（Ｓ３８：Ｙｅｓ）、目型ディスプレイ１０３，１０３に「ハート目」（図１０（ｂ）参照）を一定時間表示すると共に（Ｓ３９）、育成データに３０ポイントを加算する（Ｓ４０）。受信した信号が大当り信号でない場合（Ｓ３８：Ｎｏ）、Ｓ３４に戻る。尚、Ｓ３７及びＳ４０が本発明のデータ書き込み手段として機能するものである。Ｓ３７又はＳ４０で育成データにポイント加算された後、ＲＯＭ１１２のメッセージテーブル１１２ａからポイント数報知メッセージＢ「ポイント数が○○に上がりました。」を読み出して液晶ディスプレイ１２４に表示する（Ｓ４１、図２４（ａ）参照）。
【００９３】
次に、目型ディスプレイ１０３，１０３に「ニコ目」を一定時間表示し（Ｓ４２）、その後、目型ディスプレイ１０３，１０３に「丸目」の表示を行い（Ｓ４３、図２３（ｂ）参照）、Ｓ３４へ戻る。
【００９４】
次に、電子ペット１２１がパチンコ機１の装着部５８から取り外された状態で、電子ペット１２１において実行される処理の流れについて図２４に示すフローチャートを参照しつつ説明する。尚、図２４に示すルーチンは、電子ペット１２１が装着部５８から取り外された時点から所定時間間隔で呼び出されて実行される。また、図２４に示すルーチンが呼び出される所定時間間隔は、例えば、８時間、１２時間又は２４時間のように設定してもよく、最初の呼び出しを３日間後に行い、以後１日間隔で呼び出しを行うようにしてもよい。
【００９５】
まず、目型ディスプレイ１０３，１０３に「丸目」の表示を行う（Ｓ５１）。次に、不揮発性メモリ１１４に記憶された育成データより１ポイントを減算すると共に、低下ポイント数に１を加算する（Ｓ５２）。尚、Ｓ５２の処理が、本発明の時間経過処理手段として機能するものである。続いて、ＲＯＭ１１２のメッセージテーブル１１２ａからポイント数報知メッセージＣ「ポイント数が○○に下がりました。」を読み出して液晶ディスプレイ１２４に表示すると共に（Ｓ５３）、目型ディスプレイ１０３，１０３に「下がり目」を一定時間表示する（Ｓ５４、図２５（ａ）参照）。続いて、低下ポイント数が、予め設定された閾値Ａ未満であるか否かを判定する（Ｓ５５）。育成データの低下の度合いが小さく、低下ポイント数が閾値Ａ未満である場合（Ｓ５５：Ｙｅｓ）、ＲＯＭ１１２のメッセージテーブル１１２ａから遊技促進メッセージＡ「ホールに行きたいなあ！」を読み出して液晶ディスプレイ１２４に表示すると共に（Ｓ５６）、目型ディスプレイ１０３，１０３に「丸目」の表示を行う（Ｓ５７、図２５（ｂ）参照）。
【００９６】
低下ポイント数が閾値Ａ以上である場合（Ｓ５５：Ｎｏ）、低下ポイント数が、予め設定された閾値Ｂ未満であるか否かを判定する（Ｓ５５）。尚、閾値Ｂ＞閾値Ａである。育成データの低下の度合いが中程度であり、低下ポイント数が閾値Ｂ未満である場合（Ｓ５８：Ｙｅｓ）、ＲＯＭ１１２のメッセージテーブル１１２ａから遊技促進メッセージＢ「ホールに行こうよ！」を読み出して液晶ディスプレイ１２４に表示すると共に（Ｓ５９）、目型ディスプレイ１０３，１０３に「星目」の表示を行う（Ｓ６０、図２５（ｃ）参照）。育成データの低下の度合いが大きく、低下ポイント数が閾値Ｂ以上である場合（Ｓ５８：Ｎｏ）、ＲＯＭ１１２のメッセージテーブル１１２ａから遊技促進メッセージＣ「さあ、ホールへ急ごう！」を読み出して液晶ディスプレイ１２４に表示すると共に（Ｓ６１）、目型ディスプレイ１０３，１０３に「ハート目」の表示を行う（Ｓ６２、図２５（ｄ）参照）。続いて、緑色ＬＥＤ１０５を点滅させると共に、バイブレータ１０６を一定時間オンした後（Ｓ６３）、本ルーチンを終了する。尚、目型ディスプレイ１０３，１０３や液晶ディスプレイ１２４における表示に加えて、緑色ＬＥＤ１０５の点滅やバイブレータ１０６の振動が行われることにより、電子ペット１２１の所持者に対して注意を喚起することができる。
【００９７】
以上詳述したことから明らかなように、本実施形態の遊技システムＳ’によれば、パチンコ機１が、遊技の実行に伴って信号出力端子５８ｃより所定の信号（作動チャッカー入賞信号、大当り信号）を送信すると、遊技者により所有されてパチンコ機１に装着された電子ペット１２１が、信号出力端子５８ｃから送信された信号を信号入力端子１０７ａにより受信し、その信号受信に基づいて育成データを不揮発性メモリ１１４に書き込む。そして、ＣＰＵ１１１に内蔵されたタイマによって計測された時間経過に応じて、不揮発性メモリ１１４に記憶された育成データに対してポイントを減ずる処理を施し、ＣＰＵ１１１が不揮発性メモリ１１４に記憶された育成データに基づいて目型ディスプレイ１０３，１０３、液晶ディスプレイ１２４、２個の緑色ＬＥＤ１０５，１０５、又はバイブレータ１０６による表現動作を実行制御する。
【００９８】
よって、パチンコ機１上で遊技が実行されるのに伴って遊技者が所有する電子ペット１２１において擬似生物の育成データが記憶されるというパチンコ機１における遊技とは別の楽しみを遊技者に与えることができる。また、電子ペット１２１の不揮発性メモリ１１４に記憶された育成データのポイントが時間経過によって低下し、このことが目型ディスプレイ１０３，１０３、液晶ディスプレイ１２４等の表現動作手段による表現動作を通して遊技者により認識されるので、育成データによって表わされる擬似生物の育成状況の低下の防止や低下分の回復を望む遊技者のパチンコ機１に対する遊技意欲の高揚が図られ、これにより遊技ホールへの来店頻度の向上や遊技の長時間化を図ることができる。さらに、電子ペット１２１があたかも遊技者のパートナーとして感情等を表現する動作を行うことにより、遊技者の興味を惹きつけて、遊技の興趣を向上させることができる。
【００９９】
特に、本実施形態では、不揮発性メモリ１１４に記憶された育成データのポイント数が低下したことを示すメッセージを液晶ディスプレイ１２４に表示するので、遊技者は時間経過に伴う育成データのポイント数の低下をメッセージの視認によって確実に認識することができる。さらに、液晶ディスプレイ１２４に遊技促進メッセージが表示されることによって電子ペット１２１による信号の受信が促されるので、遊技者はメッセージの表示を視認することにより、パチンコ機１に対する遊技意欲が高揚されて遊技ホールへの来店が促される。
【０１００】
尚、本発明は上述した各実施の形態に限定されるものではなく、本発明の主旨を逸脱しない範囲で種々の変更を施すことが可能である。例えば、前記各実施の形態において、電子ペット１０１をパチンコ機１に装着する構成としたが、電子ペット１０１を内蔵電源によって動作可能とし、且つパチンコ機１の近傍に設置して無線通信により所定の信号を受信する構成としてもよい。本変形例では、パチンコ機１に電子ペット１０１を装着するための装着部５８を設ける必要が無いという利点がある。無線通信の方式としては、電波を利用した公知の無線通信や、赤外線や可視光等の光を利用した公知の無線通信等を採用してもよい。具体的には、発光演出が行われる電飾部材４６を送信手段とすると共に、電子ペット１０１側に受信手段としての受光素子を設け、電飾部材４６の発光強度の変調等（強点灯、弱点灯、消灯、色変化など）により電子ペット１０１との間で可視光通信を行う構成としてもよい。本変形例によれば、電子ペット１０１への信号出力用としてパチンコ機１に特別な構成を付加する必要が無く、より簡単な構成で且つ低コストに本発明にかかる遊技システムを実現することができる。
【０１０１】
また、前記各実施の形態において、パチンコ機１から送信されて電子ペット１０１により受信される所定の信号は、上述した作動チャッカー入賞信号、大当り信号には限られず、払出信号等の他の信号であってもよい。また、パチンコ機１の各制御基板とホールコンピュータへ信号を出力するための外部端子との間に信号出力端子５８ｃを設け、各外部端子へ出力される信号を利用して信号出力端子５８ｃより電子ペット１０１へ信号を出力する構成としてもよい。例えば、枠用外部端子より賞球を１０個払い出すごとに出力される賞球信号や、盤用外部端子より特別図柄の変動が停止するごとに出力される特別図柄確定信号、大当り中及び図柄の変動時間短縮中に出力される大当り及び時間短縮信号及び大当り中に出力される大当り信号を利用して、信号出力端子５８ｃから信号を出力する構成としてもよい。
【０１０２】
また、電子ペット１０１の表現動作手段として音声を発生する音声発生手段を含み、育成データに基づいて音声発生手段による音声の発生を制御するように構成してもよい。本変形例によれば、遊技者は、電子ペット１０１における音声の発生を楽しむと同時に育成状況を確実に把握することができる。また、表現動作手段として機械的動作を行う可動手段を含み、育成データに基づいて可動手段による機械的動作を制御するように構成してもよい。例えば、目型ディスプレイ１０３を上下に動作する支持部材１０３ａに取り付けて筐体１０２から飛び出し動作可能に構成し、育成レベルが上昇した場合に、図２６に示すように、目型ディスプレイ１０３が飛出し動作と引っ込み動作とを繰り返すように構成してもよい。目型ディスプレイ１０３が取り付けられる支持部材１０３ａを上下に駆動するための機構としては、モータとピニオン−ラック機構やカム等とを組み合わせた機構や、ソレノイド等を利用した機構を採用してもよい。本変形例によれば、電子ペット１０１における機械的動作を楽しむと同時に育成状況を確実に把握することができる。
【０１０３】
さらに、電子ペット１０１が遊技機（パチンコ機１）取り付け状態で動作し、遊技機側にはその動作を補助するような機構、もしくはその動作を制限（例えば、遊技機からの落下防止など）するような部材等を備えてもよく、この場合、遊技機上での電子ペットの動作や位置を遊技機が把握し、且つ遊技機からの信号によりそれらを変更制御したりすることで、より遊技機に関連した表現動作を電子ペット１０１にさせることができるようになる。
【０１０４】
また、前記第一の実施形態は、小動物をモデル化した擬似生物を育成対象とすると共に、本発明の電子端末を擬似生物の外観を呈する電子ペット１０１として構成したが、このような構成には限られない。例えば、矩形平板形や小判形等の携帯型電子端末に液晶画面を設け、その液晶画面上に表示される育成対象を育成するように構成してもよい。また、電子端末における育成対象は、リスやネズミ等の小動物や、犬、猫等のペットをモデル化した擬似生物には限られず、非生物をモデル化したものであってもよい。例えば、電子端末の液晶画面上に地球のモデルを表示し、パチンコ機１から送信される所定の信号を受信することに基づいて、太古の時代の原始的な地球から現代の地球へと徐々に地球が育成されていくように構成してもよい。或いは、電子端末の液晶画面上に都市のモデルを表示し、パチンコ機１から送信される所定の信号を受信することに基づいて、小さな村から町へ、町から都市へと徐々に都市が育成されていくように構成してもよい。
【０１０５】
また、前記各実施形態において、電子ペット１０１がパチンコ機１から出力される大当り信号等の受信に基づいて不揮発性メモリ１１３に育成データを記憶する構成としたが、育成データに代えて価値の大きさを表わす価値データを記憶し、時間経過に応じて価値データを減ずる処理を施すと共に、不揮発性メモリ１１３に記憶された価値データに基づいてＬＥＤやディスプレイ等の表現動作手段による表現動作を実行制御する構成としてもよい。
【０１０６】
また、電子端末を、表示部と、操作部とを備え、前記表示部にゲーム画面を表示すると共に前記操作部の操作に応じて前記育成対象を育成する育成ゲームを実行可能な育成ゲーム機として構成してもよい。本変形例によれば、表示部に表示されたゲーム画面の操作部による操作によって育成対象を育成することができるのに加えて、パチンコ機１からの信号受信によっても育成対象を育成することができるので、育成ゲームにおける興趣の向上とパチンコ機１における遊技意欲の高揚とを図ることができる。
【０１０７】
また、前記各実施形態では、本発明をパチンコ遊技機に適用した例を示したが、他の種類の遊技機にも適用可能である。例えば、本発明を、複数種類の図柄が表示された複数の回転リールを有し、前記各回転リールの回転停止時の図柄の組合わせに基づく入賞態様に応じて遊技球が球受皿に払い出されるパチロット遊技機に適用してもよい。本発明を適用したパチロット遊技機と電子ペット１０１（又は１２１）とからなる遊技システムによれば、遊技者のパチロット遊技機に対する遊技意欲の高揚が図られ、これにより遊技ホールへの来店頻度の向上や遊技の長時間化を図ることができる。
【０１０８】
また、本発明を、スロットマシンに適用してもよい。本発明を適用したスロットマシンと電子ペット１０１とからなる遊技システムによれば、遊技者のスロットマシンに対する遊技意欲の高揚が図られ、これにより遊技ホールへの来店頻度の向上や遊技の長時間化を図ることができる。
【産業上の利用可能性】
【０１０９】
本発明は、パチンコ遊技機やスロットマシン等の遊技機と電子端末とを用いた遊技システム及び遊技機用の電子端末に適用可能である。
【図面の簡単な説明】
【０１１０】
【図１】本発明の第一の実施形態の遊技システムを示す図であって、パチンコ機に電子ペットが装着された状態を示す正面図である。
【図２】パチンコ機を示す側面図である。
【図３】パチンコ機から第一の実施形態の電子ペットを取り外した状態を示す正面図である。
【図４】ガラス扉枠を開放した状態における本体枠、遊技盤等を示す正面図である。
【図５】パチンコ機の上皿を示す平面図である。
【図６】（ａ）は、装着部の正面図、（ｂ）は上面図、（ｃ）は（ｂ）におけるＡ−Ａ線断面図、（ｄ）は第一の実施形態の電子ペットが装着された状態を示す図である。
【図７】（ａ）は、第一の実施形態の電子ペットの正面図、（ｂ）は背面を示す斜視図、（ｃ）は側面図である。
【図８】電子ペットの回路構成を含む第一の実施形態の遊技システム全体を示すブロック図である。
【図９】（ａ）は、通常の表情を表わす「丸目」の表示例を、（ｂ）は微笑んでいる表情を表わす「ニコ目」の表示例を、（ｃ）はがっかりした表情を表わす「下がり目」の表示例をそれぞれ示す図である。
【図１０】（ａ）は喜びの表情を表わす「星目」の表示例を、（ｂ）は最大の喜びの表情を表わす「ハート目」の表示例をそれぞれ示している。
【図１１】目型ディスプレイの表示及びバイブレータのオン・オフパターンを示す表である。
【図１２】育成レベル別の赤色ＬＥＤ及び緑色ＬＥＤの点灯・消灯パターンを示す表である。
【図１３】第一の実施形態の電子ペットにおいてパチンコ機に装着された状態で実行される処理の流れを示すフローチャートである。
【図１４】図１３に示すフローチャートの続きである。
【図１５】第一の実施形態の電子ペットにおける表現動作例を示す図であり、（ａ）は育成レベル２の遊技開始時の状態を、（ｂ）は大当り発生直後の状態を、（ｃ）は育成レベルが２から３へ向上した状態をそれぞれ示している。
【図１６】第一の実施形態の電子ペットにおいてパチンコ機から取り外した状態で実行される処理の流れを示すフローチャートである。
【図１７】第一の実施形態の電子ペットにおける表現動作例を示す図であり、時間経過によって育成レベルが低下した状態を示している。
【図１８】本発明の第二の実施形態の遊技システムを示す図であって、パチンコ機に電子ペットが装着された状態を示す正面図である。
【図１９】第二の実施形態における電子ペットを示す図であり、（ａ）は正面図、（ｂ）は背面を示す斜視図、（ｃ）は側面図である。
【図２０】電子ペットの回路構成を含む第二の実施形態の遊技システム全体を示すブロック図である。
【図２１】メッセージテーブルの一例を示す図である。
【図２２】第二の実施形態の電子ペットにおいてパチンコ機に装着された状態で実行される処理の流れを示すフローチャートである。
【図２３】第二の実施形態の電子ペットにおける液晶ディスプレイの表示例を示す図であり、（ａ）は遊技開始直後のポイント報知メッセージＡの表示例を、（ｂ）は作動チャッカー又は大当り入賞時のポイント報知メッセージＢの表示例をそれぞれ示している。
【図２４】第二の実施形態の電子ペットにおいてパチンコ機から取り外した状態で実行される処理の流れを示すフローチャートである。
【図２５】第二の実施形態の電子ペットにおける液晶ディスプレイのメッセージ表示例を示す図であり、（ａ）はポイント報知メッセージＣの表示例を、（ｂ）は遊技促進メッセージＡの表示例を、（ｃ）は遊技促進メッセージＢのメッセージ表示例を、（ｄ）は遊技促進メッセージＣの表示例をそれぞれ示している。
【図２６】第一の実施形態の電子ペットにおいて目型ディスプレイを飛出し動作可能に構成した変形例を示す図である。
【符号の説明】
【０１１１】
Ｓ，Ｓ’    遊技システム
１    パチンコ遊技機（遊技機）
５８    装着部
５８ｃ  信号出力端子（送信手段）
５８ｄ  電源出力端子（電力供給部）
１０１，１２１    電子ペット（電子端末）
１０３    目型ディスプレイ（表現動作手段、表示手段）
１０４ａ〜１０４ｈ    赤色ＬＥＤ（表現動作手段、発光手段）
１０５    緑色ＬＥＤ（表現動作手段、発光手段）
１０６    バイブレータ（表現動作手段、振動発生手段）
１０７ａ  信号入力端子（受信手段）
１１１    ＣＰＵ（データ書き込み手段、時間経過処理手段、制御手段）
１１４    不揮発性メモリ（記憶手段）
１２４    液晶ディスプレイ（表現動作手段、表示手段）
【図１】
2007054103.tif 000003
【図２】
2007054103.tif 000004
【図３】
2007054103.tif 000005
【図４】
2007054103.tif 000006
【図５】
2007054103.tif 000007
【図６】
2007054103.tif 000008
【図７】
2007054103.tif 000009
【図８】
2007054103.tif 000010
【図９】
2007054103.tif 000011
【図１０】
2007054103.tif 000012
【図１１】
2007054103.tif 000013
【図１２】
2007054103.tif 000014
【図１３】
2007054103.tif 000015
【図１４】
2007054103.tif 000016
【図１５】
2007054103.tif 000017
【図１６】
2007054103.tif 000018
【図１７】
2007054103.tif 000019
【図１８】
2007054103.tif 000020
【図１９】
2007054103.tif 000021
【図２０】
2007054103.tif 000022
【図２１】
2007054103.tif 000023
【図２２】
2007054103.tif 000024
【図２３】
2007054103.tif 000025
【図２４】
2007054103.tif 000026
【図２５】
2007054103.tif 000027
【図２６】
2007054103.tif 000028